(57)【要約】【課題】透明度が高く外光環境下でも視認性の良好な表示装置を提供する。【解決手段】光透過性を有する第１基板と、前記第１基板と対向し光透過性を有する第２基板と、前記第１基板と前記第２基板との間に配置された光変調層と、画像を表示する表示領域と法線方向で対向する位置の外側から前記光変調層を照明する光源ユニットと、前記第１基板に配置され、それぞれレッド、グリーン、またはブルーの互いに異なる色の第１乃至第３カラーフィルタと、前記第１乃至第３カラーフィルタにそれぞれ対向する第１乃至第３電極と、を備え、前記光変調層は、前記第１乃至第３電極のそれぞれによって生じる電場に応じて、前記第１乃至第３カラーフィルタのそれぞれに対向する領域の光散乱性を変調可能である、表示装置。【選択図】      図３
2018013714.tif 000002
【特許請求の範囲】
【請求項１】
光透過性を有する第１基板と、
前記第１基板と対向し光透過性を有する第２基板と、
前記第１基板と前記第２基板との間に配置された光変調層と、
画像を表示する表示領域と法線方向で対向する位置の外側から前記光変調層を照明する光源ユニットと、
前記第１基板に配置され、それぞれレッド、グリーン、またはブルーの互いに異なる色の第１乃至第３カラーフィルタと、
前記第１乃至第３カラーフィルタにそれぞれ対向する第１乃至第３電極と、を備え、
前記光変調層は、前記第１乃至第３電極のそれぞれによって生じる電場に応じて、前記第１乃至第３カラーフィルタのそれぞれに対向する領域の光散乱性を変調可能である、表示装置。
【請求項２】
前記第１基板、前記第２基板、及び前記光変調層によって構成される表示パネルは、前記表示領域を含む主面と、
前記主面と交差し、前記光源ユニットと対向する側面と、を備えている、請求項１に記載の表示装置。
【請求項３】
前記光変調層は、共に光学異方性を有し電場に対する光学的な応答性が互いに異なる第１領域および第２領域を有し、
前記第１領域は、液晶材料を主に含んで構成され、
前記第２領域は、高分子材料を主に含んで構成されている、請求項１または２に記載の表示装置。
【請求項４】
さらに、前記第１乃至第３カラーフィルタのいずれかと同じ色の第４カラーフィルタを備え、
前記第２カラーフィルタと前記第３カラーフィルタとは、第１方向において第１ピッチで隣り合い、
前記第３カラーフィルタと前記第４カラーフィルタとは、前記第１方向において前記第１ピッチよりも大きい第２ピッチで隣り合っている、請求項１乃至３のいずれか１項に記載の表示装置。
【請求項５】
前記第２ピッチは、前記第１ピッチの３倍以上の大きさである、請求項４に記載の表示装置。
【請求項６】
前記光源ユニットは、白色光を照明する、請求項１乃至５のいずれか１項に記載の表示装置。
【請求項７】
前記光源ユニットは、互いに色の異なる光を出射する少なくとも２つの光源を備えている、請求項１乃至６のいずれか１項に記載の表示装置。
【請求項８】
前記光源ユニットは、レッド光源、グリーン光源、およびブルー光源を備えている、請求項７に記載の表示装置。
【請求項９】
前記光源ユニットは、イエロー光源およびブルー光源、またはマゼンタ光源およびグリーン光源、またはシアン光源およびレッド光源を備えている、請求項７に記載の表示装置。
【請求項１０】
さらに、外光のみを利用して画像を表示する第１表示モードと、
前記外光および前記光源ユニットからの照明光を利用して画像を表示する第２表示モードと、
前記照明光のみを利用して画像を表示する第３表示モードと、
を切り替える制御部を備えている、請求項１乃至９のいずれか１項に記載の表示装置。
【請求項１１】
さらに、前記外光の輝度および色を検出する外光センサを備え、
前記制御部は、前記外光センサから入力される環境データに応じて表示モードを切り替える、請求項１０に記載の表示装置。
【請求項１２】
前記制御部は、前記環境データに応じて表示画像の色温度を調整する、請求項１１に記載の表示装置。
【請求項１３】
前記外光センサは、レッドのカラーフィルタを透過した前記外光の輝度を測定するレッドセンサと、
グリーンのカラーフィルタを透過した前記外光の輝度を測定するグリーンセンサと、
ブルーのカラーフィルタを透過した前記外光の輝度を測定するブルーセンサと、を備えている、請求項１１または１２に記載の表示装置。
【請求項１４】
前記外光センサは、スペクトルメータを備えている、請求項１１または１２に記載の表示装置。
【請求項１５】
さらに、選択データを切り替え可能なセレクタを備え、
前記制御部は、前記セレクタから入力される前記選択データに応じて表示モードを切り替える、請求項１０乃至１４のいずれか１項に記載の表示装置。
【請求項１６】
光透過性を有する第１基板と、
前記第１基板と対向し光透過性を有する第２基板と、
前記第１基板と前記第２基板との間に配置された光変調層と、
画像を表示する表示領域と法線方向で対向する位置の外側から前記光変調層を照明する光源ユニットと、
前記第１基板に配置され、それぞれレッド、グリーン、またはブルーの互いに異なる色の第１乃至第３カラーフィルタと、
前記第１基板に配置され、前記第１乃至第３カラーフィルタのいずれかと同じ色の第４カラーフィルタと、
前記第３カラーフィルタと前記第４カラーフィルタとの間に位置し、前記第３カラーフィルタよりも面積の大きい透明部材と、
前記第１乃至第４カラーフィルタにそれぞれ対向する第１乃至第４電極と、
前記透明部材と対向する第５電極と、を備え、
前記光変調層は、前記第１乃至第５電極のそれぞれによって生じる電場に応じて、前記第１乃至第５カラーフィルタのそれぞれと対向する領域の光散乱性を変調可能である、表示装置。
【発明の詳細な説明】
【技術分野】
【０００１】
本発明の実施形態は、表示装置に関する。
【背景技術】
【０００２】
透明ディスプレイは、観察者側から反対側が視認できる表示装置である。透明ディスプレイは、様々な構成が検討されており、例えば、偏光フィルタを備えた液晶表示パネルや、有機発光ダイオード等の自発光素子を備えた表示パネルなどを備えた構成が開示されている。
【先行技術文献】
【特許文献】
【０００３】
【特許文献１】特開２０１３−８０６４６号公報
【発明の概要】
【発明が解決しようとする課題】
【０００４】
本実施形態の目的は、透明度が高く外光環境下でも視認性の良好な表示装置を提供することにある。
【課題を解決するための手段】
【０００５】
本実施形態によれば、
光透過性を有する第１基板と、前記第１基板と対向し光透過性を有する第２基板と、前記第１基板と前記第２基板との間に配置された光変調層と、画像を表示する表示領域と法線方向で対向する位置の外側から前記光変調層を照明する光源ユニットと、前記第１基板に配置され、それぞれレッド、グリーン、またはブルーの互いに異なる色の第１乃至第３カラーフィルタと、前記第１乃至第３カラーフィルタにそれぞれ対向する第１乃至第３電極と、を備え、前記光変調層は、前記第１乃至第３電極のそれぞれによって生じる電場に応じて、前記第１乃至第３カラーフィルタのそれぞれに対向する領域の光散乱性を変調可能である、表示装置が提供される。
【０００６】
本実施形態によれば、
光透過性を有する第１基板と、前記第１基板と対向し光透過性を有する第２基板と、前記第１基板と前記第２基板との間に配置された光変調層と、画像を表示する表示領域と法線方向で対向する位置の外側から前記光変調層を照明する光源ユニットと、前記第１基板に配置され、それぞれレッド、グリーン、またはブルーの互いに異なる色の第１乃至第３カラーフィルタと、前記第１基板に配置され、前記第１乃至第３カラーフィルタのいずれかと同じ色の第４カラーフィルタと、前記第３カラーフィルタと前記第４カラーフィルタとの間に位置し、前記第３カラーフィルタよりも面積の大きい透明部材と、前記第１乃至第４カラーフィルタにそれぞれ対向する第１乃至第４電極と、前記透明部材と対向する第５電極と、を備え、前記光変調層は、前記第１乃至第５電極のそれぞれによって生じる電場に応じて、前記第１乃至第５カラーフィルタのそれぞれと対向する領域の光散乱性を変調可能である、表示装置が提供される。
【図面の簡単な説明】
【０００７】
【図１】図１は、本実施形態に係る表示装置ＤＳＰの一構成例を示す図である。
【図２】図２は、図１に示した第１基板ＳＵＢ１の一構成例を示す図である。
【図３】図３は、図１に示した表示パネルＰＮＬの一構成例を示す断面図である。
【図４】図４は、図１に示した表示パネルＰＮＬの他の構成例を示す断面図である。
【図５】図５は、図１に示した表示パネルＰＮＬの他の構成例を示す断面図である。
【図６】図６は、図１に示した光源ユニットＬＵの一構成例を示す図である。
【図７】図７は、光変調層ＯＭが散乱性を示す時の表示パネルＰＮＬの模式図である。
【図８】図８は、光変調層ＯＭが透過性を示す時の表示パネルＰＮＬの模式図である。
【図９】図９は、カラーフィルタの一配置例を示す図である。
【図１０】図１０は、図９に示したカラーフィルタの配置例に対応するデータ線Ｓ及び走査線Ｇの一構成例を示す図である。
【図１１】図１１は、図９に示したカラーフィルタの配置例に対応するデータ線Ｓ及び走査線Ｇの他の構成例を示す図である。
【図１２】図１２は、図９に示したカラーフィルタの配置例に対応するデータ線Ｓ及び走査線Ｇの他の構成例を示す図である。
【図１３】図１３は、カラーフィルタの他の配置例を示す図である。
【図１４】図１４は、カラーフィルタの他の配置例を示す図である。
【図１５】図１５は、カラーフィルタの他の配置例を示す図である。
【図１６】図１６は、表示装置ＤＳＰの表示モードの切り替えを制御する際のデータの流れを示すブロック図である。
【図１７】図１７は、表示装置ＤＳＰの表示モードの一例を示す図である。
【図１８】図１８は、図１７に示した第２表示モードにおける表示装置ＤＳＰの挙動を説明する図である。
【図１９】図１９は、図１７に示した第３表示モードにおける表示装置ＤＳＰの挙動を説明する図である。
【図２０】図２０は、図１９で説明した第３表示モードの応用例を示す図である。
【図２１】図２１は、光源からの出射光の色と、その出射光によって表示装置ＤＳＰが表現可能な色と、を示す表である。
【図２２】図２２は、散乱強度の補正を説明する図である。
【図２３】図２３は、スキャン駆動を説明する図である。
【図２４】図２４は、本実施形態に係る表示装置ＤＳＰの第１変形例を示す図である。
【図２５】図２５は、図２４に示した第１基板ＳＵＢ１の構成例を示す図である。
【図２６】図２６は、本実施形態に係る表示装置ＤＳＰの第２変形例を示す図である。
【図２７】図２７は、図２６に示した第１基板ＳＵＢ１の構成例を示す図である。
【図２８】図２８は、本実施形態に係る表示装置ＤＳＰの第３変形例を示す図である。
【発明を実施するための形態】
【０００８】
以下、本実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一または類似した機能を発揮する構成要素には同一の参照符号を付し、重複する詳細な説明を適宜省略することがある。
【０００９】
図１は、本実施形態に係る表示装置ＤＳＰの一構成例を示す図である。  
図示した例において、第１方向Ｘは、表示パネルＰＮＬの短辺方向である。また、第２方向Ｙは、表示パネルＰＮＬの長辺方向であり、第１方向Ｘと直交する方向である。また、第３方向Ｚは、第１方向Ｘ及び第２方向Ｙと直交する方向であり、表示パネルＰＮＬの法線方向である。なお、第１方向Ｘ、第２方向Ｙ、及び第３方向Ｚは、互いの交差角が９０°に限定されるものではなく、互いに９０°以外の角度で交差していてもよい。
【００１０】
表示装置ＤＳＰは、表示パネルＰＮＬと、光源ユニットＬＵと、を備えている。表示パネルＰＮＬは、画像を表示する表示領域ＤＡと、表示領域ＤＡの周囲に額縁状に位置する非表示領域ＮＤＡと、を備えている。光源ユニットＬＵは、表示パネルＰＮＬの内部を照明するものであり、表示領域ＤＡと第３方向Ｚで対向する位置の外側に位置している。図示した例では、光源ユニットＬＵは、表示パネルＰＮＬの側面ＰＮＬｃと第２方向Ｙで対向している。
【００１１】
表示パネルＰＮＬは、それぞれ光透過性を有する第１基板ＳＵＢ１及び第２基板ＳＵＢ２を備えている。第１基板ＳＵＢ１及び第２基板ＳＵＢ２は、互いに第３方向Ｚで対向している。また、後述するが、第１基板ＳＵＢ１と第２基板ＳＵＢ２との間には、光変調層ＯＭが配置されている。
【００１２】
表示領域ＤＡには、複数の画素ＰＸ（ＰＸ１１，…，ＰＸｎｍ）が配置されている。画素ＰＸは、表示の最小単位に相当する。例えば、画素ＰＸ１１を基準にすると、画素ＰＸ１１，…，ＰＸｎ１が、この順で第１方向Ｘに並んでいる。また、画素ＰＸ１１，…，ＰＸ１ｍが、この順で第２方向Ｙに並んでいる。画素ＰＸ１１は光源ユニットＬＵから離間する側に位置し、画素ＰＸ１ｍは、光源ユニットＬＵに近接する側に位置している。画素ＰＸｘｙは、図示した例では、４つの副画素ＰＡｘｙ、ＰＢｘｙ、ＰＣｘｙ、及びＰＤｘｙを備えている。なお、ｘは、１〜ｎの正の整数であり、ｙは、１〜ｍの正の整数である。以下の説明において、副画素ＰＡｘｙ、ＰＢｘｙ、ＰＣｘｙ、及びＰＤｘｙを、それぞれ総称して、副画素ＰＡ，ＰＢ，ＰＣ，及びＰＤと称するものとする。
【００１３】
画素ＰＸｘｙは例えば四角形状であり、副画素ＰＡｘｙは、第１方向Ｘで副画素ＰＢｘｙと隣り合い、第２方向Ｙで副画素ＰＤｘｙと隣り合っている。副画素ＰＣｘｙは、画素ＰＸｘｙにおける副画素ＰＡｘｙの対角に位置し、第１方向Ｘで副画素ＰＤｘｙと隣り合い、第２方向Ｙで副画素ＰＢｘｙと隣り合っている。
【００１４】
第２基板ＳＵＢ２の副画素ＰＡｘｙに対応する領域には、カラーフィルタＦＡｘｙが配置されている。同様に、第２基板ＳＵＢ２には、副画素ＰＢｘｙに対応する領域にカラーフィルタＦＢｘｙが配置され、副画素ＰＣｘｙに対応する領域にカラーフィルタＦＣｘｙが配置され、副画素ＰＤｘｙに対応する領域にカラーフィルタＦＤｘｙが配置されている。すなわち、画素ＰＸｘｙは、カラーフィルタＦＡｘｙ、ＦＢｘｙ、ＦＣｘｙ、及びＦＤｘｙを備えている。カラーフィルタＦＡｘｙ、ＦＢｘｙ、ＦＣｘｙ、及びＦＤｘｙの位置関係は、副画素ＰＡｘｙ、ＰＢｘｙ、ＰＣｘｙ、及びＰＤｘｙと同様である。なお、以下の説明において、カラーフィルタＦＡｘｙ、ＦＢｘｙ、ＦＣｘｙ、及びＦＤｘｙを、それぞれ総称して、カラーフィルタＦＡ、ＦＢ、ＦＣ、及びＦＤと称するものとする。
【００１５】
一例では、副画素ＰＡは赤色を表示するレッド（Ｒ）画素であり、カラーフィルタＦＡは赤色光を透過させるレッド（Ｒ）カラーフィルタである。副画素ＰＢは緑色光を表示するグリーン（Ｇ）画素であり、カラーフィルタＦＢは緑色を透過させるグリーン（Ｇ）カラーフィルタである。副画素ＰＣは青色を表示するブルー（Ｂ）画素であり、カラーフィルタＦＣは青色光を透過させるブルー（Ｂ）カラーフィルタである。副画素ＰＤは白色を表示するホワイト（Ｗ）画素であり、カラーフィルタＦＤは白色光を透過させるホワイト（Ｗ）カラーフィルタである。Ｗカラーフィルタは、表示パネルＰＮＬを透過する光の色味を調整する目的で、薄く色付いた光をさせるものであってもよい。但し、副画素ＰＡは、Ｒ画素に限定されるものではなく、例えばＧ、Ｂ、及びＷ画素のいずれかであってもよい。同様に、副画素ＰＢはＲ、Ｂ、及びＷ画素のいずれかであってもよく、副画素ＰＣは、Ｒ、Ｇ、及びＷ画素のいずれかであってもよく、副画素ＰＤは、Ｒ、Ｇ、及びＢ画素のいずれかであってもよい。  
Ｒ、Ｇ、及びＢカラーフィルタは、例えば、それぞれ赤色、緑色、及び青色の色材によって着色された樹脂によって形成されている。Ｗカラーフィルタは、無着色の透明な樹脂、または薄く着色された樹脂によって形成される。また、Ｗ画素に対応する領域は白色光を透過させられればそれでよいため、Ｗカラーフィルタは省略されてもよい。
【００１６】
図２は、図１に示した第１基板ＳＵＢ１の一構成例を示す図である。  
第１基板ＳＵＢ１は、表示領域ＤＡに対応する領域に複数の電極を有し、非表示領域ＮＤＡに対応する領域に駆動部ＤＲを備えている。
【００１７】
副画素ＰＡｘｙに対応する領域に、電極ＥＡｘｙが配置されている。同様に、副画素ＰＢｘｙに対応する領域に電極ＥＢｘｙが配置され、副画素ＰＣｘｙに対応する領域に電極ＥＣｘｙが配置され、副画素ＰＤｘｙに対応する領域に電極ＥＤｘｙが配置されている。すなわち、画素ＰＸｘｙは、電極ＥＡｘｙ、ＥＢｘｙ、ＥＣｘｙ、及びＥＤｘｙを備えている。また、電極ＥＡｘｙは、図１に示したカラーフィルタＦＡｘｙと対向し、電極ＥＢｘｙは、図１に示したカラーフィルタＦＢｘｙと対向し、電極ＥＣｘｙは、図１に示したカラーフィルタＦＣｘｙと対向し、電極ＥＤｘｙは、図１に示したカラーフィルタＦＤｘｙと対向している。なお、以下の説明において、電極ＥＡｘｙ、ＥＢｘｙ、ＥＣｘｙ、及びＥＤｘｙを、それぞれ総称して、電極ＥＡ、ＥＢ、ＥＣ、及びＥＤと称するものとする。
【００１８】
駆動部ＤＲは、第１ドライバＤｒ１及び第２ドライバＤｒ２を備えている。第１ドライバＤｒ１は、電極ＥＡ乃至ＥＤに画像を表示するためのデータ信号を供給するデータ線駆動回路に相当する。第１ドライバＤｒ１からは、ｉ本のデータ線Ｓ（Ｓ１，Ｓ２，…，Ｓｉ）が表示領域ＤＡに向かい引き出されている。複数のデータ線Ｓは、表示領域ＤＡにおいて、例えば、第２方向Ｙに延在し、第１方向Ｘに並んでいる。第２ドライバＤｒ２は、電極ＥＡ乃至ＥＤへのデータ信号の入力を制御する走査信号を供給する走査線駆動回路に相当する。第２ドライバＤｒ２からは、ｊ本の走査線Ｇ（Ｇ１，Ｇ２，…，Ｇｊ）が表示領域ＤＡに向かい引き出されている。複数の走査線Ｇは、表示領域ＤＡにおいて、例えば、第１方向Ｘに延在し、第２方向Ｙに並んでいる。一例として、データ線Ｓ１は、画素電極ＥＡ１１，ＥＢ１１，…，ＥＡｎ１，ＥＢｎ１のそれぞれにデータ信号を伝達している。また、走査線Ｇ１は、画素電極ＥＡ１１，ＥＤ１１，…，ＥＡ１ｍ，ＥＤ１ｍのそれぞれに走査信号を伝達している。但し、データ線Ｓ及び走査線Ｇの延在方向は、特に限定されるものではなく、それぞれ一部が屈曲していてもよい。また、データ線Ｓが第１方向Ｘに延在し、走査線Ｇが第２方向Ｙに延在していてもよい。
【００１９】
図３は、図１に示した表示パネルＰＮＬの一構成例を示す断面図である。  
なお、本図に示した断面は、第２方向Ｙに隣り合う画素ＰＸ１１及びＰＸ１３を含む領域であり、副画素ＰＡ及びＰＤを含む第２方向Ｙに沿った断面の一例である。画素ＰＸ１１に対応する領域には、カラーフィルタＦＡ１１，ＦＤ１１、及び電極ＥＡ１１，ＥＤ１１が配置され、画素ＰＸ１３に対応する領域には、カラーフィルタＦＡ１３，ＦＤ１３及び電極ＥＡ１３，ＥＤ１３が配置されている。
【００２０】
第１基板ＳＵＢ１は、絶縁基板１０、電極ＥＡ１１，ＥＤ１１，ＥＡ１３，ＥＤ１３、及び配向膜ＡＬ１を備えている。絶縁基板１０は、光透過性を有するガラス基板や樹脂基板によって形成されている。電極ＥＡ１１，ＥＤ１１，ＥＡ１３，及びＥＤ１３は、絶縁基板１０の第２基板ＳＵＢ２に近接する側に配置され、第２方向Ｙに沿ってこの順に並んでいる。電極ＥＡ１１，ＥＤ１１，ＥＡ１３，及びＥＤ１３は、互いに第２方向Ｙに離間している。そして、電極ＥＤ１１と電極ＥＡ１３との間隔は、電極ＥＡ１１と電極ＥＤ１１との間隔よりも大きい。電極ＥＡ，ＥＤは、透明導電材料によって形成されており、例えば、インジウム錫酸化物（ＩＴＯ）やインジウム亜鉛酸化物（ＩＺＯ）によって形成されている。配向膜ＡＬ２は、絶縁基板１０、及び電極ＥＡ，ＥＤの第２基板ＳＵＢ２に近接する側に配置されており、例えば電極ＥＡ，ＥＤを覆っている。
【００２１】
第２基板ＳＵＢ２は、絶縁基板２０、カラーフィルタＦＡ１１，ＦＤ１１，ＦＡ１３，ＦＤ１３、オーバーコート層ＯＣ、共通電極ＣＥ、及び配向膜ＡＬ２を備えている。絶縁基板２０は、光透過性を有するガラス基板や樹脂基板によって形成されている。
【００２２】
カラーフィルタＦＡ１１，ＦＤ１１，ＦＡ１３，及びＦＤ１３は、絶縁基板２０の第１基板ＳＵＢ１に近接する側に配置され、それぞれ電極ＥＡ１１，ＥＤ１１，ＥＡ１３，及びＥＤ１３と第３方向Ｚで対向している。カラーフィルタＦＡ１１とカラーフィルタＦＤ１１とは、第２方向ＹにおいてピッチＰＴ１で隣り合っており、図示した例では互いに接触している。カラーフィルタＦＤ１１とカラーフィルタＦＡ１３とは、第２方向ＹにおいてピッチＰＴ１よりも大きいピッチＰＴ２で隣り合い、互いに離間している。カラーフィルタＦＡ１３とカラーフィルタＦＤ１３とも、第２方向ＹにおいてピッチＰＴ１で隣り合っている。なお、ここで言うピッチとは、隣り合う夫々のカラーフィルタの中心間の間隔を意味するものとする。但し、ピッチとは、隣り合う夫々のカラーフィルタの第２方向Ｙの矢印が位置する側の端部間の間隔を意味するものであってもよい。ピッチＰＴ１は、電極ＥＡ１１の中心と電極ＥＤ１１の中心との第２方向Ｙにおける間隔に相当する。また、ピッチＰＴ２は、電極ＥＤ１１の中心と電極ＥＡ１３の中心との第２方向Ｙにおける間隔に相当する。
【００２３】
オーバーコート層ＯＣは、絶縁基板２０及びカラーフィルタＦＡ，ＦＤの第１基板ＳＵＢ１に近接する側に配置され、例えばカラーフィルタＦＡ及びＦＤを覆っている。Ｗカラーフィルタが配置されない構成の場合、Ｗカラーフィルタに相当する領域には、例えばオーバーコート層ＯＣが配置される。つまり、もし図中のカラーフィルタＦＡ１１及びＦＡ１３がＲカラーフィルタであり、カラーフィルタＦＤ１１及びＦＤ１３がＷカラーフィルタであるとすると、カラーフィルタＦＤ１１及びＦＤ１３が省略されて、カラーフィルタＦＡ１１とカラーフィルタＦＡ１３とが、互いの間に位置するオーバーコート層ＯＣと第２方向Ｙで接触していてもよい。
【００２４】
共通電極ＣＥは、オーバーコート層ＯＣの第１基板ＳＵＢ１に近接する側に配置され、例えばオーバーコート層ＯＣを覆っている。共通電極ＣＥは、第３方向Ｚで複数の電極ＥＡ１１、ＥＡ１３、ＥＤ１１、及びＥＤ１３と対向している。また、共通電極ＣＥは、画素ＰＸ１１と画素ＰＸ１３との間の領域にも延在しており、電極ＥＤ１１と電極ＥＡ１３との間に位置する第３方向Ｚで電極ＥＡ及びＥＤと対向しない領域にも配置されている。共通電極ＣＥは、ＩＴＯやＩＺＯなどの透明導電材料によって形成されている。配向膜ＡＬ２は、共通電極ＣＥの第１基板ＳＵＢ１と対向する側に配置され、例えば共通電極ＣＥを覆っている。
【００２５】
光変調層ＯＭは、第１基板ＳＵＢ１と第２基板ＳＵＢ２との間に位置し、配向膜ＡＬ１及びＡＬ２に隣接している。光変調層ＯＭは、電極ＥＡ、ＥＢ、ＥＣ、及びＥＤのそれぞれによって生じる電場の大きさや向きに応じて、副画素ＰＡ、ＰＢ、ＰＣ、及びＰＤのそれぞれに対応する領域の光散乱性を変調することができる。例えば、光変調層ＯＭは、電極ＥＡに電圧が印加されていない時にカラーフィルタＦＡに対応する領域に入射する光を散乱させ、電極ＥＡに電圧が印加されている時にカラーフィルタＦＡに対応する領域に入射する光を透過させる。光変調層ＯＭは、例えば、バルク３１と、バルク３１内に分散配置された複数の微粒子３２とを含んだ複合層となっている。微粒子３２は第１領域に相当し、バルク３１は第２領域に相当する。
【００２６】
バルク３１および微粒子３２は、少なくとも一方が光学率異方性を有している。例えば、微粒子３２に含まれる液晶材料（後述する液晶分子ＬＭ）の屈折率異方性の大きさは、バルク３１の高分子材料を構成するモノマーの屈折率異方性の大きさと等しい。また、バルク３１および微粒子３２は、電場に対する応答速度が互いに異なっている。例えば、バルク３１は、電場に対して応答しない筋状構造もしくは多孔質構造となっている。または、バルク３１は、微粒子３２の応答速度よりも遅い応答速度を有する筋状構造もしくは棒状構造となっている。バルク３１は、例えば、配向性および重合性を有する低分子のモノマーを熱および光の少なくとも一方によって重合化することにより得られる固形の高分子材料によって構成されている。一方、微粒子３２は、例えば、液晶材料を主に含んで構成されており、バルク３１よりも分子自由度の高い液状である。つまり微粒子３２は、バルク３１の応答速度よりも十分に早い応答速度を有している。
【００２７】
配向膜ＡＬ１及びＡＬ２は、垂直配向膜や水平配向膜であるが、光変調層ＯＭに用いられる液晶やモノマーを配向させるものであれば特に限定されるものではなく、例えばポリイミドやポリアミドイミドによって形成される。モノマーが配向膜ＡＬ１及びＡＬ２からの配向規制力により配向した状態で重合されることで、バルク３１（高分子材料）の分子配向が固定化される。なお、配向膜ＡＬ１及びＡＬ２を用いることなくモノマーを配向させられる場合には、配向膜ＡＬ１及びＡＬ２を省略してもよい。例えば、電極ＥＡと共通電極ＣＥとの間、または電極ＥＤと共通電極ＣＥとの間に電場や磁場を印加することによっても、光変調層ＯＭに用いられる液晶やモノマーを配向させることが可能である。つまり、電極ＥＡ（ＥＢ、ＥＣ、及びＥＤ）と共通電極ＣＥとの間に電場や磁場を印加させながらモノマーを重合することで、バルク３１（高分子材料）の分子配向を固定化することができる。液晶やモノマーの配向に電圧を用いる場合には、配向用と駆動用とで別々の電極を形成するか、液晶材料に周波数によって誘電率異方性の符号が反転する二周波液晶などを用いることができる。また、液晶やモノマーの配向に磁場を用いる場合、液晶やモノマーとして磁化率異方性の大きい材料を用いることが好ましく、例えば、ベンゼン環の多い材料を用いることが好ましい。
【００２８】
バルク３１を形成する配向性および重合性を有するモノマーとしては、光学的に異方性を有しており、かつ液晶と複合する材料であればよいが、本実施の形態では紫外線で硬化する低分子モノマーであることが好ましい。微粒子３２として液晶材料が用いられる場合に、その液晶材料が棒状分子であるときには、使用するモノマー材料の形状も棒状であることが好ましい。以上のことから、モノマー材料としては重合性と液晶性を併せ持つ材料を用いることが好ましく、例えば、重合性官能基として、アクリレート基、メタクリレート基、アクリロイルオキシ基、メタクリロイルオキシ基、ビニルエーテル基およびエポキシ基からなる群から選ばれた少なくとも１つの官能基を有することが好ましい。これらの官能基は、紫外線、赤外線または電子線を照射したり、加熱したりすることによって重合させることができる。紫外線照射時の配向度低下を抑制するために、多官能基をもつ液晶性材料を添加することもできる。バルク３１を上述した筋状構造とする場合には、バルク３１の原料として、２官能液晶性モノマーを用いることが好ましい。また、バルク３１の原料に対して、液晶性を示す温度の調整を目的に単官能モノマーを添加したり、架橋密度向上を目的に３官能以上のモノマーを添加したりすることもできる。
【００２９】
図４は、図１に示した表示パネルＰＮＬの他の構成例を示す断面図である。  
図示した構成例は、共通電極ＣＥが不連続である点で、図３に示した構成例と相違している。すなわち、共通電極ＣＥは、互いに第２方向Ｙに離間する共通電極ＣＥ１及びＣＥ２を備えている。
【００３０】
共通電極ＣＥ１は、電極ＥＡ１１及びＥＤ１１と対向している。共通電極ＣＥ２は、電極ＥＡ１３及びＥＤ１３と対向している。電極ＥＤ１１と電極ＥＡ１３との間の領域に対向する位置、すなわち画素ＰＸ１１と画素ＰＸ１３との間の領域には、共通電極ＣＥが配置されていない。このため、画素ＰＸ１１と画素ＰＸ１３との間の領域において、表示パネルＰＮＬの光透過率を向上させることができる。
【００３１】
図５は、図１に示した表示パネルＰＮＬの他の構成例を示す断面図である。  
図示した構成例は、複数の遮光層ＢＭを備えている点で、図３に示した構成例と相違している。遮光層ＢＭは、遮光性を有しており、例えば黒色樹脂や黒色金属によって形成されている。遮光層ＢＭは、絶縁基板２０の第１基板ＳＵＢ１と対向する側に配置されている。複数の遮光層ＢＭは、それぞれ、カラーフィルタＦＡ１１、ＦＤ１１、ＦＡ１３、及びＦＤ１３の第２方向Ｙにおける端部と、第３方向Ｚで対向している。また、遮光層ＢＭは、例えば、電極ＥＡ１１、ＥＤ１１、ＥＡ１３、及びＥＤ１３の第２方向Ｙにおける端部と、第３方向Ｚで対向していてもよい。遮光層ＢＭは、図示しないデータ線Ｓや走査線Ｇと第３方向Ｚで対向し、配線における反射光を遮光することができる。また、１つの電極に対応する領域において変調された光が別の電極と第３方向Ｚで対向するカラーフィルタを透過することで生じる混色を抑制することができる。なお、カラーフィルタＦＡ乃至ＦＤは、第１基板ＳＵＢ１側に配置されていてもよく、第１基板ＳＵＢ１及び第２基板ＳＵＢ２の両方に配置されていてもよい。カラーフィルタＦＡ乃至ＦＤが第１基板ＳＵＢ１側に配置される場合には、遮光層ＢＭも第１基板ＳＵＢ１側に配置されてもよい。
【００３２】
図６は、図１に示した光源ユニットＬＵの一構成例を示す図である。  
本図において、主面ＰＮＬａは、表示パネルＰＮＬの第２基板ＳＵＢ２の位置する側の主面であり、主面ＰＮＬｂは、表示パネルＰＮＬの第１基板ＳＵＢ１の位置する側の主面である。側面ＰＮＬｃは、表示パネルＰＮＬの主面ＰＮＬａの端辺と主面ＰＮＬｂの端辺とを繋ぐ面であり、図示した例では、光源ユニットＬＵと対向している。
【００３３】
光源ユニットＬＵは、例えば、複数の光源２３を第２方向Ｙに一列に配置して構成されている。各光源２３は、側面ＰＮＬｃに向かって光を射出するようになっており、例えば、側面ＰＮＬｃとの対向面に発光スポットを有する発光素子からなる。そのような発光素子としては、例えば、発光ダイオード（ＬＥＤ；Light Emitting Diode）、またはレーザダイオード（ＬＤ；Laser Diode）などが挙げられる。
【００３４】
複数の光源２３は、例えば、互いに色の異なる光を出射する２個以上の光源２３ごとに、共通の基板２４上に配置されている。この場合、１つの基板２４と、その基板２４上に配置された複数の光源２３とにより、光源ブロック２５が構成されている。光源ブロック２５は、例えば、白色光を照明可能に構成されている。図示した例では、光源ブロック２５は、３つの光源２３Ａ、２３Ｂ、及び２３Ｃを備えている。光源２３Ａ、２３Ｂ、及び２３Ｃは、それぞれ、赤色光を出射するレッド（Ｒ）光源、緑色光を出射するグリーン（Ｇ）光源、青色光を出射するブルー（Ｂ）光源であり、全てを点灯することで、光源ブロック２５を白色光源として機能させることができる。
【００３５】
基板２４は、例えば、光源２３と、光源２３の駆動を制御する駆動回路ＣＭ（後述する制御部１００の一部）と、を電気的に接続する配線が形成された回路基板であり、各光源２３は、この回路基板上に実装されている。共通の基板２４上に配置された各光源２３（光源ブロック２５内の各光源２３Ａ、２３Ｂ、２３Ｃ）は、駆動回路ＣＭによって互いに独立に駆動されるようになっているが、一括で（非独立に）駆動されるようになっていてもよい。また、互いに異なる基板２４上に配置された光源２３（各光源ブロック２５内の光源２３）は、例えば、駆動回路ＣＭによって互いに独立に駆動されるようになっており、例えば、互いに異なる電流経路に接続されている。互いに異なる基板２４上に設けられた光源２３（各光源ブロック２５内の光源２３）は、例えば、駆動回路ＣＭによって一括で（非独立に）駆動されるようになっていてもよい。
【００３６】
光源ユニットＬＵは、表示パネルＰＮＬの１つの側面ＰＮＬｃにだけ設けられていてもよいし、表示パネルＰＮＬの２つの側面（例えば側面ＰＮＬｃと側面ＰＮＬｃに対向する側面）に設けられていてもよい。光源ユニットＬＵは、表示領域ＤＡと第３方向Ｚで対向する位置の外側に配置されていれば、側面ＰＮＬｃと第２方向Ｙで対向していなくてもよく、例えば、第２方向Ｙで側面ＰＮＬｃと対向する位置から第３方向Ｙにずれて配置され、主面ＰＮＬｂに向かって光を出射するものであってもよい。
【００３７】
表示装置ＤＳＰは、外光Ｌｏｕｔ及び照明光Ｌｉｎのうち少なくとも一方を利用することで主面ＰＮＬａに画像を表示する。外光Ｌｏｕｔは、主面ＰＮＬｂから表示パネルＰＮＬに入射する光であり、例えば、太陽光や外部照明などの環境光に相当する。外光Ｌｏｕｔの入射面は、主面ＰＮＬｂである。照明光Ｌｉｎは、光源ユニットＬＵから表示パネルＰＮＬに入射する光である。照明光Ｌｉｎの入射面は、側面ＰＮＬｃである。光変調層ＯＭが光散乱性を示す状態が表示状態（オン状態）であり、光散乱性を示さない状態が非表示状態（オフ状態）である。表示パネルＰＮＬは、オン状態とオフ状態を切り替えることにより、非表示状態では光透過性を有し、表示状態では画像が表示される。図７及び図８を参照して、光変調層ＯＭの光散乱性の変化の原理を模式的に説明する。図７は、電場が形成されていない状態の光変調層ＯＭを示し、図８は、電場が形成されている状態の光変調層ＯＭを示している。
【００３８】
図７は、光変調層ＯＭが散乱性を示す時の表示パネルＰＮＬの模式図である。  
ここでは、電源ＰＳは共通電極ＣＥと電気的に接続されているが、電極ＥＡと電源ＰＳとを結ぶ配線のスイッチＳＷが開いている。すなわち、電極ＥＡに電圧が印加されておらず、電極ＥＡと共通電極ＣＥとの間に電位差が生じていない。
【００３９】
微粒子３２（液晶滴ＬＱ）内に含まれる液晶材料（液晶分子ＬＭ）は、例えば棒状分子である。液晶分子ＬＭは、液晶滴ＬＱの中において、ランダムに配向している。この時、外光Ｌｏｕｔ及び照明光Ｌｉｎに対するバルク３１の屈折率と微粒子３２の屈折率とは、互いに異なっている。従って、外光Ｌｏｕｔ及び照明光Ｌｉｎは、バルク３１と微粒子３２との界面において屈折する。これにより、外光Ｌｏｕｔ及び照明光Ｌｉｎは、光変調層ＯＭにおいて散乱され、外光Ｌｏｕｔ及び照明光Ｌｉｎの散乱光は、主面ＰＮＬａ及びＰＮＬｂから出射される。
【００４０】
図８は、光変調層ＯＭが透過性を示す時の表示パネルＰＮＬの模式図である。  
ここでは、スイッチＳＷが閉じており、電極ＥＡに電源ＰＳから電圧が印加され、電極ＥＡと共通電極ＣＥとの間に電位差が生じている。
【００４１】
図示した例では、液晶分子ＬＭは、正の誘電率異方性を有する、いわゆるポジ型液晶である。このため、液晶分子ＬＭは、液晶滴ＬＱの中において、光変調層ＯＭに形成される電場の方向である第３方向Ｚに配向する。この時、例えばバルク３１を構成する高分子の屈折率異方性と液晶分子ＬＭの屈折率異方性とが一致して、外光Ｌｏｕｔ及び照明光Ｌｉｎに対するバルク３１の屈折率と微粒子３２の屈折率とが、互いに同等となる。従って、外光Ｌｏｕｔは、光変調層ＯＭを殆ど散乱されずに透過し、主面ＰＮＬａから出射される。また照明光Ｌｉｎも、光変調層ＯＭを殆ど散乱されずに透過する
以上説明した様に、光変調層ＯＭは、電極ＥＡへの印加電圧のオンオフ、すなわち光変調層ＯＭに形成される電場の有無によって、光透過性と光散乱性とを切り替えることができる。
【００４２】
なお、光変調層ＯＭは、図７及び図８において説明した構成では電場が形成されていない時に散乱性を示しているが、これは一例に過ぎず、電場が形成されている時に散乱性を示す構成であってもよい。電場が形成されている時に光変調層ＯＭが散乱性を示す構成としては、例えば、バルク３１が高分子の分子配向に沿って第２方向Ｙに延在する筋状構造を有し、液晶分子ＬＭがバルク３１の筋状構造に沿って配向する負の誘電率異方性を有するネガ型液晶である構成が考えられる。この様な構成においては、電場が形成されない時に、液晶分子ＬＭが第２方向Ｙに配向し、バルク３１と微粒子３２との屈折率異方性が一致する。そして、電場が形成されている時に、液晶分子ＬＭが第３方向Ｚに配向し、バルク３１と微粒子３２との屈折率異方性が相違する。
【００４３】
本実施形態によれば、表示装置ＤＳＰは、外光Ｌｏｕｔ及び照明光Ｌｉｎを透過または散乱させることで、画像を表示する。外光Ｌｏｕｔを利用することができるため、表示パネルＰＮＬの主面ＰＮＬａ及びＰＮＬｂに入射する外光Ｌｏｕｔが強い状況であったとしても、表示品位の劣化を抑制することができる。また、照明光Ｌｉｎを利用することができるため、外光Ｌｏｕｔが非常に弱い状況であったとしても、画像を表示することができる。また、表示パネルＰＮＬは、カラーフィルタ以外の光吸収層を備えなくてもよいため、偏光フィルタを備える液晶表示パネルなどに比べて、光透過率を向上させることができる。すなわち、透明度が高く外光環境下でも視認性の良好な表示装置を提供することができる。
【００４４】
また、表示装置ＤＳＰは、カラーフィルタの密度を疎に設計することもできる。つまり、ピッチＰＴ２をピッチＰＴ１よりも大きく設定することにより、必要な解像度を維持したまま、表示パネルＰＮＬの透過率を向上させることができる。このようなカラーフィルタの配置例について、以下に説明する。
【００４５】
図９は、カラーフィルタの一配置例を示す図である。  
画素ＰＸ（ＰＸ１１，ＰＸ３１，ＰＸ２２，ＰＸ１３，ＰＸ３３）は、それぞれ、図１に図示した様に、レッドカラーフィルタＣＦＲ、グリーンカラーフィルタＣＦＧ、ブルーカラーフィルタＣＦＢ、及びホワイトカラーフィルタＣＦＷを備えている。レッドカラーフィルタＣＦＲは右下がりの斜線パターンで示す領域であり、グリーンカラーフィルタＣＦＧは右上がりの斜線パターンで示す領域であり、ブルーカラーフィルタＣＦＢは格子パターンで示す領域であり、ホワイトカラーフィルタはＣＦＷドットパターンで示す領域である。
【００４６】
画素ＰＸは、第２方向Ｙの幅Ｗ１、及び第１方向Ｘの幅Ｗ３を有する四角形の画素である。画素ＰＸ１１及び画素ＰＸ３１は、第１方向Ｘに沿った同一直線上に、間隔Ｗ４を空けて並んでいる。画素ＰＸ１１及び画素ＰＸ１３は、第２方向Ｙに沿った同一直線上に、間隔Ｗ２を空けて並んでいる。つまり、画素ＰＸ３１のレッドカラーフィルタＣＦＲと、画素ＰＸ１１のグリーンカラーフィルタＣＦＧと、の互いに対向する側の端部は、間隔Ｗ４を空けて対向している。また、画素ＰＸ１３のグリーンカラーフィルタＣＦＧと、画素ＰＸ１１のブルーカラーフィルタＣＦＢと、の互いに対向する側の端部は、間隔Ｗ２を空けて対向している。なお、画素ＰＸ１３及び画素ＰＸ３３も、第１方向Ｘに沿った同一直線上に、間隔Ｗ４を空けて並んでいる。画素ＰＸ３１及び画素ＰＸ３３も、第２方向Ｙに沿った同一直線上に、間隔Ｗ２を空けて並んでいる。
【００４７】
間隔Ｗ４は、幅Ｗ３と等しく、間隔Ｗ２は、幅Ｗ１と等しい。つまり画素ＰＸは、それぞれ、第１方向Ｘ及び第２方向Ｙに、一画素分の間隔を空けて並んでいる。カラーフィルタのピッチという観点から見ると、互いに異なる画素に配置され第２方向Ｙに隣り合うカラーフィルタのピッチＰＴ２は、同一画素内に配置され第２方向Ｙに隣り合うカラーフィルタのピッチＰＴ１の３倍である。また、互いに異なる画素に配置され第１方向Ｘに隣り合うカラーフィルタのピッチＰＴ４は、同一画素内に配置され第１方向Ｘに隣り合うカラーフィルタのピッチＰＴ３の３倍である。
【００４８】
画素ＰＸ２２は、画素ＰＸ１１と画素ＰＸ３３との間に位置し、画素ＰＸ３１と画素ＰＸ１３との間に位置している。画素ＰＸ２２のレッドカラーフィルタＣＦＲの角は、画素ＰＸ１１のブルーカラーフィルタＣＦＢの角と隣接している。画素ＰＸ２２のグリーンカラーフィルタＣＦＧの角は、画素ＰＸ３１のホワイトカラーフィルタＣＦＷの角と隣接している。画素ＰＸ２２のブルーカラーフィルタＣＦＢの角は、画素ＰＸ３３のレッドカラーフィルタＣＦＲの角と隣接している。画素ＰＸ２２のホワイトカラーフィルタＣＦＷの角は、画素ＰＸ１３のグリーンカラーフィルタＣＦＧの角と隣接している。つまり、画素ＰＸ２２は、画素ＰＸ１１と画素ＰＸ３１との間、画素ＰＸ１１と画素ＰＸ１３との間、画素ＰＸ３３と画素ＰＸ３１との間、及び、画素ＰＸ３３と画素ＰＸ１３との間、には位置していない。
【００４９】
この様な市松状に画素ＰＸが配置された構成においては、光源ユニットＬＵから出射されて画素ＰＸ１１に対応する領域を照明する光が、画素ＰＸ２２に対応する領域において散乱されて減衰することを抑制可能である。つまり、表示領域ＤＡにおいて光源ユニットＬＵからの距離に依存した表示ムラの発生を抑制し、表示装置ＤＳＰの表示品位を向上させることができる。
【００５０】
図１０は、図９に示したカラーフィルタの配置例に対応するデータ線Ｓ及び走査線Ｇの一構成例を示す図である。  
レッドカラーフィルタＣＦＲ、グリーンカラーフィルタＣＦＧ、ブルーカラーフィルタＣＦＢ、及びホワイトカラーフィルタＣＦＷのそれぞれに対向する電極として、画素ＰＸ１１は電極ＥＡ１１、ＥＢ１１、ＥＣ１１、及びＥＤ１１を備え、画素ＰＸ３１は電極ＥＡ３１、ＥＢ３１、ＥＣ３１、及びＥＤ３１を備え、画素ＰＸ２２は電極ＥＡ２２、ＥＢ２２、ＥＣ２２、及びＥＤ２２を備え、画素ＰＸ１３は電極ＥＡ１３、ＥＢ１３、ＥＣ１３、及びＥＤ１３を備え、画素ＰＸ３３は電極ＥＡ３３、ＥＢ３３、ＥＣ３３、及びＥＤ３３を備えている。
【００５１】
電極ＥＡ１１、ＥＤ１１、ＥＡ１３、及びＥＤ１３は、データ線Ｓ１によってデータ信号を供給される。電極ＥＢ１１、ＥＣ１１、ＥＢ１３、及びＥＣ１３は、データ線Ｓ２によってデータ信号を供給される。電極ＥＡ２２及びＥＤ２２は、データ線Ｓ３によってデータ信号を供給される。電極ＥＢ２２及びＥＣ２２は、データ線Ｓ４によってデータ信号を供給される。電極ＥＡ３１、ＥＤ３１、ＥＡ３３、及びＥＤ３３は、データ線Ｓ５によってデータ信号を供給される。電極ＥＢ３１、ＥＣ３１、ＥＢ３３、及びＥＣ３３は、データ線Ｓ６によってデータ信号を供給される。
【００５２】
電極ＥＡ１１、ＥＢ１１、ＥＡ３１、及びＥＢ３１は、走査線Ｇ１によって駆動を制御される。電極ＥＤ１１、ＥＣ１１、ＥＤ３１、及びＥＣ３１は、走査線Ｇ２によって駆動を制御される。電極ＥＡ２２及びＥＢ２２は、走査線Ｇ３によって駆動を制御される。電極ＥＤ２２及びＥＣ２２は、走査線Ｇ４によって駆動を制御される。電極ＥＡ１３、ＥＢ１３、ＥＡ３３、及びＥＢ３３は、走査線Ｇ５によって駆動を制御される。電極ＥＤ１３、ＥＣ１３、ＥＤ３３、及びＥＣ３３は、走査線Ｇ６によって駆動を制御される。
【００５３】
図１１は、図９に示したカラーフィルタの配置例に対応するデータ線Ｓ及び走査線Ｇの他の構成例を示す図である。
本構成例は、データ線Ｓ４及び走査線Ｇ３が配置されていない点で、図１０に示した構成例と相違している。図示した例では、電極ＥＤ１１、ＥＡ１１、ＥＢ１１、ＥＤ３１、ＥＡ３１、及びＥＢ３１は、走査線Ｇ１によって駆動を制御される。電極ＥＣ１１、ＥＡ２２、ＥＢ２２、及びＥＣ３１は、走査線Ｇ２によって駆動を制御される。電極ＥＤ２２及びＥＣ２２は、走査線Ｇ４によって駆動を制御される。電極ＥＤ１３、ＥＡ１３、ＥＢ１３、ＥＤ３３、ＥＡ３３、及びＥＢ３３は、走査線Ｇ５によって駆動を制御される。電極ＥＣ１３及びＥＣ３３は、走査線Ｇ６によって駆動を制御される。また、電極ＥＤ１１及びＥＤ１３は、データ線Ｓ１によってデータ信号を供給される。電極ＥＡ１１、ＥＣ１１、ＥＡ１３、及びＥＣ１３は、データ線Ｓ２によってデータ信号を供給される。電極ＥＢ１１、ＥＡ２２、ＥＤ２２、及びＥＢ１３は、データ線Ｓ３によってデータ信号を供給される。電極ＥＤ３１、ＥＢ２２、ＥＣ２２及びＥＤ３３は、データ線Ｓ５によってデータ信号を供給される。電極ＥＡ３１、ＥＣ３１、ＥＡ３３、及びＥＣ３３は、データ線Ｓ６によってデータ信号を供給される。電極ＥＢ３１及びＥＢ３３は、データ線Ｓ７によってデータ信号を供給される。  
本構成例によれば、データ線Ｓの本数、及び走査線Ｇの本数を削減することができ、表示パネルＰＮＬの透過率を向上させることができる。
【００５４】
図１２は、図９に示したカラーフィルタの配置例に対応するデータ線Ｓ及び走査線Ｇの他の構成例を示す図である。  
本構成例は、データ線Ｓ２、Ｓ４、Ｓ６が配置されていない点で、図１０に示した構成例と相違している。図示した例では、電極ＥＢ１１、ＥＣ１１、ＥＡ２２、ＥＤ２２、ＥＢ１３、及びＥＣ１３は、データ線Ｓ３によってデータ信号を供給される。電極ＥＡ３１、ＥＤ３１、ＥＢ２２、ＥＣ２２、ＥＡ３３、及びＥＤ３３は、データ線Ｓ５によってデータ信号を供給される。電極ＥＢ３１、ＥＣ３１、ＥＢ３３、及びＥＣ３３は、データ線Ｓ７によってデータ信号を供給される。本構成例によれば、データ線Ｓの本数を削減することができる。
【００５５】
図１３は、カラーフィルタの他の配置例を示す図である。  
本配置例では、画素ＰＸ同士の第２方向Ｙの間隔Ｗ２が画素ＰＸの第２方向Ｙの幅Ｗ１よりも大きい点で、図９に図示した配置例と相違している。また、図９に図示したのと同様に、画素ＰＸ同士の第１方向Ｘの間隔Ｗ４は、画素ＰＸの第１方向Ｘの幅Ｗ３と同等であるが、幅Ｗ３よりも大きくてもよい。
【００５６】
図示した例では間隔Ｗ２は、幅Ｗ１の三倍の大きさである。画素ＰＸ２２は、画素ＰＸ１１及び画素ＰＸ１３から等間隔で離間している。つまり、画素ＰＸ１１のブルーカラーフィルタＣＦＢの角と、画素ＰＸ２２のレッドカラーフィルタＣＦＲの角と、の間の第２方向Ｙの距離は、幅Ｗ１と等しい。また、画素ＰＸ２２のホワイトカラーフィルタＣＦＷの角と、画素ＰＸ１３のグリーンカラーフィルタＣＦＧの角と、の間の第２方向Ｙの距離も、幅Ｗ１と等しい。
【００５７】
本配置例においても、図９に示した配置例と同様の効果を得ることができる。さらに、間隔Ｗ２を幅Ｗ１よりも広げることで、表示パネルＰＮＬの透過率を向上させることができる。間隔Ｗ４を幅Ｗ３よりも広げることで、表示パネルＰＮＬの透過率を向上させてもよい。
【００５８】
図１４は、カラーフィルタの他の配置例を示す図である。  
図示した配置例は、レッドカラーフィルタＣＦＲ、グリーンカラーフィルタＣＦＧ、及びブルーカラーフィルタＣＦＢが、それぞれ第２方向Ｙに延在し第１方向Ｘにこの順に並んでいる点で、図９に示した配置例と相違している。
【００５９】
図１５は、カラーフィルタの他の配置例を示す図である。  
図示した配置例は、レッドカラーフィルタＣＦＲ、グリーンカラーフィルタＣＦＧ、及びブルーカラーフィルタＣＦＢが、それぞれ第２方向Ｙに延在し第１方向Ｘにこの順に並んでいる点で、図１３に示した配置例と相違している。
【００６０】
図１４及び図１５に示す配置例でも、上記と同様の効果を得ることができる。なお、レッドカラーフィルタＣＦＲ、グリーンカラーフィルタＣＦＧ、及びブルーカラーフィルタＣＦＢは、その並び方向を第１方向Ｘに限定されるものではなく、例えば第２方向Ｙに並んでいてもよい。また、図１４及び図１５に示す配置例にホワイトカラーフィルタＣＦＷが配置されていてもよい。その場合、ホワイトカラーフィルタＣＦＷは、例えば、第２方向Ｙに延在し、レッドカラーフィルタＣＦＲまたはグリーンカラーフィルタＣＦＧと第１方向Ｘで隣り合う。
【００６１】
本実施形態において、表示装置ＤＳＰは、外光Ｌｏｕｔ及び照明光Ｌｉｎの両方を利用可能なため、表示モードを適宜切り替えることで、照明光Ｌｉｎの利用効率を向上させることができる。表示モードは、例えば、光源ユニットＬＵの駆動方法や、画素ＰＸの表示方法に相当する。次に、表示モードを切り替えるためのシステム、及び各表示モードの一例を説明する。
【００６２】
図１６は、表示装置ＤＳＰの表示モードの切り替えを制御する際のデータの流れを示すブロック図である。  
表示装置ＤＳＰは、さらに、ホストコンピュータＨＯＳＴ、外光センサＳＮＳ、セレクタＳＬＣ、及び制御部１００を備えている。
【００６３】
ホストコンピュータＨＯＳＴは、画像データを制御部１００へ送信する。外光センサＳＮＳは、外光Ｌｏｕｔの輝度および色を検出する光センサであり、取得した環境データを制御部１００へ送信する。外光センサＳＮＳは、例えば、外光Ｌｏｕｔのスペクトルを測定するスペクトルメータ、または外光Ｌｏｕｔの赤色（Ｒ）成分、緑色（Ｇ）成分、及び青色（Ｂ）成分を個別に測定するＲＧＢ輝度センサを備えている。ＲＧＢ輝度センサは、例えば、レッドカラーフィルタを透過した外光Ｌｏｕｔの輝度を測定するレッドセンサと、グリーンカラーフィルタを透過した外光Ｌｏｕｔの輝度を測定するグリーンセンサと、ブルーカラーフィルタを透過した外光Ｌｏｕｔの輝度を測定するブルーセンサと、を備えている。セレクタＳＬＣは、観察者などにより任意に表示モードを選択するための選択データを切り替え可能なスイッチに相当し、入力された選択データを制御部１００へ送信する。
【００６４】
制御部１００は、ホストコンピュータＨＯＳＴから入力された画像（ＲＧＢ）データに、変換や補正などの信号処理を行う。このとき制御部１００は、例えば、画素ＰＸにおける表現色のＲＧＢ比を表すリニアなＲＧＢデータを、Ｒ画素、Ｇ画素及びＢ画素の輝度を表す階調データへ変換する。制御部１００は、例えば、外光センサＳＮＳから入力される環境データに応じて表示モードを切り替えてもよい。または、制御部１００は、セレクタＳＬＣから入力される選択データに応じて表示モードを切り替えてもよい。各表示モードに応じて処理された画像データは、制御部１００から駆動部ＤＲ及び光源ユニットＬＵへ送信される。
【００６５】
制御部１００は、光源ユニットＬＵにおける消費電力を低減するために信号処理を行ってもよく、例えば、各画素ＰＸにおける散乱強度のデータを伸長する信号処理を行い駆動部ＤＲへ送信し、散乱強度の伸長分だけ光源ユニットＬＵの輝度のデータを減縮する信号処理を行い光源ユニットＬＵへ送信する。また、制御部１００は、ＲＧＢデータから階調データへの変換の際に、ＲＧＢデータのうち共通部分をＷ画素の輝度を表すＷデータに割り付ける信号処理を行い、Ｗデータに割り付けられた分だけ減縮したＲＧＢデータを、比率を維持したまま伸長する信号処理を行うことで、画素ＰＸの輝度を向上させることができる。
【００６６】
制御部１００は、環境データに応じて表示画像の色温度を調整してもよい。例えば、外光センサＳＮＳによって測定された外光Ｌｏｕｔが黄色味を帯びている場合、外光Ｌｏｕｔが白色光である場合と同様に表示装置ＤＳＰが駆動すると、画素ＰＸの表現色が黄色味を帯びてしまう。この様な場合に、ＲＧＢデータにＢ画素の輝度を上昇させる色補正を行うことで、画素ＰＸを本来の色で表現することができる。
【００６７】
図１７は、表示装置ＤＳＰの表示モードの一例を示す図である。  
図示した表は、外光Ｌｏｕｔの輝度の強さによって切り替えられる第１乃至第３表示モードを表している。この表において、Ｍｏｄｅ１は第１表示モードを指し示し、Ｍｏｄｅ２は第２表示モードを指し示し、Ｍｏｄｅ３は第３表示モードを指し示す。また、Ｈｉｇｈは外光Ｌｏｕｔが強い状況を指し示し、Ｌｏｗは外光Ｌｏｕｔが弱い状況を指し示し、０は外光Ｌｏｕｔが非常に弱いか、または外光Ｌｏｕｔが存在しない状況を指し示す。また、ＯＦＦは光源ユニットＬＵの消灯を指し示し、ＯＮは光源ユニットＬＵの点灯を指し示する。
【００６８】
外光ＬｏｕｔがＨｉｇｈの時、表示装置ＤＳＰは第１表示モードを選択する。すなわち、光源ユニットＬＵを全消灯し、外光Ｌｏｕｔのみを利用して画像を表示する。外光ＬｏｕｔがＬｏｗの時、表示装置ＤＳＰは、第２表示モードを選択する。すなわち、光源ユニットＬＵを点灯し、外光Ｌｏｕｔと照明光Ｌｉｎとを利用して画像を表示する。なお、このとき、光源ユニットＬＵは、Ｒ光源、Ｇ光源、及びＢ光源を全点灯し、白色光源として機能する。外光Ｌｏｕｔが０の時、表示装置ＤＳＰは、第３表示モードを選択する。すなわち、光源ユニットＬＵは、Ｒ光源、Ｇ光源、及びＢ光源を逐次点灯する、いわゆるフィールドシーケンシャル（ＦＣＳ）方式によって、照明光Ｌｉｎのみを利用して画像を表示する。なお、各表示モードにおける光源ユニットＬＵの点灯方法は、これに限定されるものではなく、例えば外光ＬｏｕｔがＬｏｗの時に第３表示モードが選択されて光源ユニットＬＵが逐次点灯してもよく、また、外光Ｌｏｕｔが０の時に第２表示モードが選択されて光源ユニットＬＵが全点灯してもよい。
【００６９】
図１８は、図１７に示した第２表示モードにおける表示装置ＤＳＰの挙動を説明する図である。  
光変調層ＯＭには、白色光ＬＷの外光Ｌｏｕｔ及び照明光Ｌｉｎが入射する。外光Ｌｏｕｔ及び照明光Ｌｉｎは、レッドカラーフィルタＣＦＲに対向する領域で散乱され、レッドカラーフィルタＣＦＲを透過して赤色光ＬＲとして主面ＰＮＬａから出射される。同様に、外光Ｌｏｕｔ及び照明光Ｌｉｎは、グリーンカラーフィルタＣＦＧ、ブルーカラーフィルタＣＦＢ、及びホワイトカラーフィルタＣＦＷに対向する領域で散乱され、それぞれ、緑色光ＬＧ、青色光ＬＢ、及び白色光ＬＷとして出射される。
【００７０】
画素ＰＸがＲ画素、Ｇ画素、及びＢ画素のみで構成されている場合には、入力データの白色（Ｗ）成分を表示する際、カラーフィルタＣＦＲ、ＣＦＧ、及びＣＦＢに対向する領域で外光Ｌｏｕｔ及び照明光Ｌｉｎを散乱させることで、赤色光ＬＲ、緑色光ＬＧ、及び青色光ＬＢの合成成分として、Ｗ成分を表示することができる。但し、Ｗ画素を備えている場合は、ホワイトカラーフィルタＣＦＷに対向する領域のみを散乱させて白色光ＬＷを出射させることができる。すなわち、１つの画素ＰＸで散乱によって消費される照明光Ｌｉｎを低減することができる。また、レッドカラーフィルタＣＦＲ、グリーンカラーフィルタＣＦＧ、及びブルーカラーフィルタＣＦＢにおける吸収による、照明光Ｌｉｎの損失を低減することができる。従って、表示パネルＰＮＬの光源ユニットＬＵと対向する側面ＰＮＬｃとは反対側を側面ＰＮＬｄとした場合に、側面ＰＮＬｄに近い位置における照明光Ｌｉｎの輝度の低下を抑制することができる。これにより、表示装置ＤＳＰは、表示箇所の光源ユニットＬＵまでの距離に応じた輝度の勾配（表示ムラ）を抑制することができる。
【００７１】
なお、図示を省略しているが、各カラーフィルタＣＦＲ、ＣＦＧ、ＣＦＢ、ＣＦＷに対向する領域で散乱された光は、主面ＰＮＬｂからも出射される。主面ＰＮＬｂから出射される光は、例えば各カラーフィルタＣＦＲ、ＣＦＧ、ＣＦＢを透過して第２基板ＳＵＢの界面で反射された光も含まれるため、薄く色付いている。このため、表示装置ＤＳＰは、主面ＰＮＬｂ側にも画像を表示することができる。さらに、表示装置ＤＳＰは、第１基板ＳＵＢ１にも各カラーフィルタＣＦＲ、ＣＦＧ、ＣＦＢを配置すれば、主面ＰＮＬｂから出射される光と同程度の濃度の色の光ＬＲ、ＬＧ、ＬＢを、主面ＰＮＬｂからも出射することができる。つまり、表示装置ＤＳＰは、より鮮明に主面ＰＮＬａにも画像を表示することができる。
【００７２】
図１９は、図１７に示した第３表示モードにおける表示装置ＤＳＰの挙動を説明する図である。  
ＦＣＳ方式では、１つの画像を表示する期間に相当する１フレームを、複数のフィールドに時間的に分割する。表示装置ＤＳＰは、各フィールドで異なる色の副画素を駆動し、１フレーム中に表現された各フィールドの色が合成され、画素ＰＸの色として観察者に視認される。図示した例では、表示装置ＤＳＰは、１フレームを３つのフィールドに分割し、Ｒ画素が駆動されるレッド（Ｒ）フィールド、Ｇ画素が駆動されるグリーン（Ｇ）フィールド、及び、Ｂ画素が駆動されるブルー（Ｂ）フィールドを、この順に逐次駆動している。なお、１フレームの開始時または終了時に、いずれの副画素も駆動されないホワイト（Ｗ）フィールドを挿入してもよい。ＲＧＢフィールドの前後でＷフィールドを駆動することで、フレーム間での混色を抑制することができる。
【００７３】
次に、Ｒ、Ｇ、Ｂフィールドのそれぞれにおける駆動を説明する。  
Ｒフィールドにおいて、光源ユニットＬＵは、赤色光ＬＲの照明光Ｌｉｎを出射する。照明光Ｌｉｎは、レッドカラーフィルタＣＦＲ及びホワイトカラーフィルタＣＦＷに対向する領域で散乱され、主面ＰＮＬａから赤色光ＬＲとして出射される。なお、図示を省略しているが、散乱される照明光Ｌｉｎが赤色光ＬＲであるため、主面ＰＮＬｂからも、主面ＰＮＬａから出射されるのと同程度の濃度の色の赤色光ＬＲが出射される。  
Ｇフィールドにおいて、光源ユニットＬＵは、緑色光ＬＧの照明光Ｌｉｎを出射する。照明光Ｌｉｎは、グリーンカラーフィルタＣＦＧ及びホワイトカラーフィルタＣＦＷに対向する領域で散乱され、Ｒフィールド同様に、主面ＰＮＬａ及びＰＮＬｂから緑色光ＬＧとして出射される。  
Ｂフィールドにおいて、光源ユニットＬＵは、青色光ＬＢの照明光Ｌｉｎを出射する。照明光Ｌｉｎは、ブルーカラーフィルタＣＦＢ及びホワイトカラーフィルタＣＦＷに対向する領域で散乱され、Ｒフィールド同様に、主面ＰＮＬａ及びＰＮＬｂから青色光ＬＢとして出射される。
【００７４】
以上の様な第３表示モードによれば、散乱された照明光Ｌｉｎの、レッドカラーフィルタＣＦＲ、グリーンカラーフィルタＣＦＧ、及びブルーカラーフィルタＣＦＢにおける吸収による損失を低減することができる。すなわち、光源ユニットＬＵの光の利用効率を向上させることが可能である。また、Ｒフィールドにおいては、Ｒ画素及びＷ画素に対応する領域でのみ照明光Ｌｉｎが散乱され、Ｇ画素及びＢ画素に対応する領域では照明光Ｌｉｎは消費されない。Ｇフィールド、及びＢフィールドにおいても、同様に、照明光Ｌｉｎの消費を抑制することができるため、表示装置ＤＳＰは、照明光Ｌｉｎの側面ＰＮＬｄにおける輝度の低下を抑制し、表示ムラを抑制することができる。
【００７５】
なお、画素ＰＸがＲ画素、Ｇ画素、及びＢ画素のみで構成されていたとしても、ＦＣＳ方式による表示は可能である。但し、Ｗ画素を備えていることで、表示装置ＤＳＰは、Ｒ、Ｇ、Ｂフィールドのそれぞれにおいて、Ｗ画素を表示に利用することができ、各フィールドの輝度を向上させることができる。
【００７６】
図２０は、図１９で説明した第３表示モードの応用例を示す図である。  
本図においては、Ｒフィールドのみを図示し、Ｇフィールド及びＢフィールドを省略している。本表示方法においても、図１９で図示したのと同様に、Ｒ、Ｇ、及びＢフィールドを逐次駆動することで画像を表示する。図示した例では、表示装置ＤＳＰは、Ｒフィールドにおいて、グリーンカラーフィルタＣＦＧ及びブルーカラーフィルタＣＦＢに対向する領域で、赤色光ＬＲの照明光Ｌｉｎを散乱させている。主面ＰＮＬａに向かって散乱された照明光Ｌｉｎは、グリーンカラーフィルタＣＦＧ及びブルーカラーフィルタＣＦＢに吸収される。対して、主面ＰＮＬｂに向かって散乱された照明光Ｌｉｎは、主面ＰＮＬｂから出射される。同様に、Ｇフィールドにおいては、レッドカラーフィルタＣＦＲ及びブルーカラーフィルタＣＦＢに対向する領域で照明光Ｌｉｎを散乱させ、Ｂフィールドにおいては、レッドカラーフィルタＣＦＲ及びグリーンカラーフィルタＣＦＧに対向する領域で照明光Ｌｉｎを散乱させることができる。この様な表示方法によれば、表示装置ＤＳＰは、画像を主面ＰＮＬａ側には表示せずに主面ＰＮＬｂ側にのみ表示することができる。
【００７７】
図２１は、光源からの出射光の色と、その出射光によって表示装置ＤＳＰが表現可能な色と、を示す表である。  
表中の表現とは、各光源から出射された照明光Ｌｉｎが、レッドカラーフィルタＣＦＲ、グリーンカラーフィルタＣＦＧ及びブルーカラーフィルタＣＦＢを透過した後の色を示すものである。ＯＦＦとは、照明光Ｌｉｎが透過しないケースを意味する。
【００７８】
第３表示モードを利用する場合、光源ユニットＬＵは、Ｒ光源、Ｇ光源、及びＢ光源の組み合わせを備えるものに限定されるものではなく、レッドカラーフィルタＣＦＲ、グリーンカラーフィルタＣＦＧ及びブルーカラーフィルタＣＦＢを透過して、レッド、グリーン、及びブルーを表現できるものであれば、２つの光源の組み合わせを備えるものであってもよい。  
レッド光源、ブルー光源、及びグリーン光源は、それぞれレッド、グリーン、及びブルーのみを表現可能である。イエロー光を出射するイエロー光源は、レッド及びグリーンを表現可能である。マゼンタ光を出射するマゼンタ光源は、レッド及びブルーを表現可能である。シアン光を出射するシアン光源は、グリーン及びブルーを表現可能である。従って、光源ユニットＬＵは、イエロー光源及びブルー光源の組み合わせ、マゼンタ光源及びグリーン光源の組み合わせ、またはシアン光源及びレッド光源の組み合わせであってもよい。また、光源ユニットＬＵは、イエロー光源及びマゼンタ光源の組み合わせ、マゼンタ光源及びシアン光源の組み合わせ、シアン光源及びイエロー光源の組み合わせであってもよい。
【００７９】
なお、イエロー光源は、例えば、緑色光を出射するグリーンＬＥＤと、緑色光を吸収し赤色光を発光するレッド蛍光体と、で構成される。マゼンタ光源は、例えば、青色光を出射するブルーＬＥＤと、青色光を吸収し赤色光を発光するレッド蛍光体と、で構成される。シアン光源は、例えば、青色光を出射するブルーＬＥＤと、青色光を吸収し緑色光を発光するグリーン蛍光体と、で構成される。但し、イエロー光源は、グリーンＬＥＤとレッドＬＥＤとを同時に点灯させるものであってもよく、マゼンタ光源は、ブルーＬＥＤとレッドＬＥＤとを同時に点灯させるものであってもよく、シアン光源は、ブルーＬＥＤとグリーンＬＥＤとを同時に点灯させるものであってもよい。
【００８０】
図２２は、散乱強度の補正を説明する図である。  
表示領域ＤＡにおいて、光源ユニットＬＵに近接する側の側面ＰＮＬｃに近い位置では照明光Ｌｉｎの輝度は高く、光源ユニットＬＵから離間する側の側面ＰＮＬｄに近い位置では照明光Ｌｉｎの輝度が低い。これは、前述の通り、表示領域ＤＡ内で照明光Ｌｉｎが散乱されるためである。
【００８１】
表示パネルＰＮＬの斜線パターンの領域に画像が表示されているとする。図中のグラフの実線は、Ａ−Ａ’線に沿った照明光Ｌｉｎの輝度低下を示している。図中のグラフの点線は、斜線パターンの領域の輝度を均一化するために必要な、Ａ−Ａ’線に沿った光変調層ＯＭの散乱強度の補正を示している。この様な散乱強度の補正は、側面ＰＮＬｃに近い位置（Ａ）では光変調層ＯＭに電場を形成する電極への印加電圧の階調値を下げ、側面ＰＮＬｄに近い位置（Ａ’）に電場を形成する電極への印加電圧の階調値を上げことで実現することができる。これにより、表示装置ＤＳＰは、表示ムラの発生を抑制することができる。
【００８２】
図２３は、スキャン駆動を説明する図である。  
表示領域ＤＡの輝度の均一化は、スキャン駆動によっても実現可能である。スキャン駆動とは、表示領域ＤＡを第２方向Ｙに並ぶ複数のブロックに分割し、ブロック毎に逐次駆動を行う、というものである。
【００８３】
図示した例では、８つのブロックＢ１乃至Ｂ８に表示領域ＤＡを分割している。ブロックＢ１乃至Ｂ８は、側面ＰＮＬｄに近い位置から、この順に第２方向Ｙに並んでいる。なお、ブロックの数は、特に限定されるものではなく、７つ以下でも９つ以上でもよい。例えば、最初に、ブロックＢ１に配置された画素ＰＸのみが駆動されて、ブロックＢ１に画像の一部が表示される。このときブロックＢ２乃至Ｂ８に配置された画素ＰＸは駆動されないため、照明光Ｌｉｎの輝度の低下を抑制しつつ、照明光ＬｉｎをブロックＢ１へ導光することができる。次に、ブロックＢ２に配置された画素ＰＸのみが駆動され、ブロックＢ２に画像の一部が表示される。その後、ブロックＢ３乃至Ｂ８に配置された画素ＰＸが逐次駆動され、ブロックＢ３乃至Ｂ８に画像の一部が逐次表示される。ブロックＢ１乃至Ｂ８のそれぞれに表示された画像の一部が組み合わされて、１つの画像として観察者に視認される。
【００８４】
スキャン駆動によれば、照明光Ｌｉｎの散乱による輝度低下は夫々のブロックＢ１乃至Ｂ８に対応する領域内でのみ生じるため、表示ムラの発生を抑制することができる。また、散乱強度の補正によって画素ＰＸの輝度を抑制する必要がないため、表示画像の輝度を向上させることができる。
【００８５】
図２４は、本実施形態に係る表示装置ＤＳＰの第１変形例を示す図である。  
本変形例は、画素ＰＸ１１と画素ＰＸ１３との間の領域に電極ＥＥ１２及びＥＨ１２を備えている点で、図３に図示した構成例と相違している。
【００８６】
画素ＰＸ１１と画素ＰＸ１３との間に、準画素ＱＸ１２（ＱＸ）が形成されている。準画素ＱＸ１２に対応する領域には、電極ＥＥ１２、ＥＨ１２及び透明部材ＴＰ１２が配置されている。透明部材ＴＰ１２は、例えば、白色光を透過させる無着色の樹脂によって形成されている。透明部材ＴＰ１２は、例えば、画像を表示していない時の表示パネルＰＮＬの色味を調整するために、薄く着色されていてもよい。電極ＥＥ１２及びＥＨ１２は、電極ＥＤ１１と電極ＥＡ１３との間に位置し、互いに第２方向Ｙで隣り合っている。電極ＥＥ１２は、第２方向で電極ＥＤ１１と隣り合っており、電極ＥＨ１２は、第２方向で電極ＥＡ１３と隣り合っている。
【００８７】
透明部材ＴＰ１２は、カラーフィルタＦＤ１１とカラーフィルタＦＡ１３との間に位置し、電極ＥＥ１２及びＥＨ１２と第３方向Ｚで対向している。透明部材ＴＰ１２は、準画素ＱＸ１２に対応する領域の全面に亘って配置されている。透明部材ＴＰ１２は、第２方向ＹでカラーフィルタＦＤ１１及びＦＡ１３と接触している。透明部材ＴＰ１２は、カラーフィルタＦＡ１３よりも面積が大きい。透明部材ＴＰ１２の第２方向Ｙの幅Ｗ６は、カラーフィルタＦＡ１３の第２方向Ｙの幅Ｗ５よりも大きく、一例では、幅Ｗ６は幅Ｗ５の約２倍である。透明部材ＴＰ１２は、例えば、オーバーコート層ＯＣによって形成されている。
【００８８】
準画素ＱＸ１２は、電極ＥＥ１２と共通電極ＣＥとの間に生じる電場に応じて、光変調層ＯＭの電極ＥＥ１２と対向する領域の光散乱性を変調する。また、準画素ＱＸ１２は、電極ＥＨ１２と共通電極との間に生じる電場に応じて、光変調層ＯＭの電場ＥＨ１２と対向する領域の光散乱性を変調する。電極ＥＥ１２及びＥＨ１２のそれぞれに対向する領域で散乱された光は、表示パネルＰＮＬの主面ＰＮＬａ及びＰＮＬｂから出射され、画像の表示に寄与する。このため、本変形例によれば、表示画像の輝度を向上させ、表示品位を向上させることができる。
【００８９】
図２５は、図２４に示した第１基板ＳＵＢ１の構成例を示す図である。  
図示した構成例は、準画素ＱＸが配置されている点で、図９に図示した構成例と相違している。準画素ＱＸは、画素ＰＸの間に配置されており、画素ＰＸ及び準画素ＱＸは、第１方向Ｘ及び第２方向Ｙに交互に並んでいる。準画素ＱＸは、画素電極ＥＥ、ＥＦ、ＥＧ及びＥＨを備えている。
【００９０】
準画素ＱＸ１２の電極ＥＦ１２及び電極ＥＧ１２は、電極ＥＣ１１と電極ＥＢ１３との間に位置している。電極ＥＦ１２は、第１方向Ｘで電極ＥＥ１２と隣り合い、第２方向Ｙで電極ＥＣ１１と隣り合っている。電極ＥＧ１２は、第１方向Ｘで電極ＥＨ１２と隣り合い、第２方向Ｙで電極ＥＦ１２及びＥＢ１３と隣り合っている。
【００９１】
第１方向Ｘにおいて画素ＰＸ１１と画素ＰＸ３１との間に位置する準画素ＱＸ２１は、電極ＥＥ２１、ＥＦ２１、ＥＧ２１、及びＥＨ２１を備えている。電極ＥＥ２１は、第１方向Ｘで電極ＥＢ１１とＥＦ２１との間に位置し、電極ＥＦ２１は、第１方向Ｘで電極ＥＥ２１と電極ＥＡ３１との間に位置している。電極ＥＨ２１は、第１方向Ｘで電極ＥＣ１１とＥＧ２１との間に位置し、電極ＥＧ２１は、第１方向Ｘで電極ＥＨ２１と電極ＥＤ３１との間に位置している。
【００９２】
電極ＥＥ１２及びＥＨ１２は、データ線Ｓ１によってデータ信号を供給される。電極ＥＦ１２及びＥＧ１２は、データ線Ｓ２によってデータ信号を供給される。電極ＥＥ２１及びＥＨ２１は、データ線Ｓ３によってデータ信号を供給される。電極ＥＦ２１及びＥＧ２１は、データ線Ｓ４によってデータ信号を供給される。電極ＥＥ２１及びＥＦ２１は、走査線Ｇ１によって駆動を制御される。電極ＥＧ２１及びＥＨ２１は、走査線Ｇ２によって駆動を制御される。電極ＥＥ１２及びＥＦ１２は、走査線Ｇ３によって駆動を制御される。電極ＥＧ１２及びＥＨ３２は、走査線Ｇ４によって駆動を制御される。
【００９３】
第２方向Ｙにおいて画素ＰＸ３１と画素ＰＸ３３との間に位置する準画素ＱＸ３２も、準画素ＱＸ１２同様に、電極ＥＥ３２、ＥＦ３２、ＥＧ３２、及びＥＨ３２を備えている。第１方向Ｘにおいて画素ＰＸ１３と画素ＰＸ３３との間に位置する準画素ＱＸ２３も、準画素ＱＸ２１同様に、電極ＥＥ２３、ＥＦ２３、ＥＧ２３、及びＥＨ２３を備えている。
【００９４】
なお、準画素ＱＸは、画素ＰＸの間に配置されるのであれば、そのレイアウトは特に限定されるものではなく、例えば図１３に図示した配置例における画素ＰＸの間に配置されてもよい。
【００９５】
図２６は、本実施形態に係る表示装置ＤＳＰの第２変形例を示す図である。  
本変形例は、準画素ＱＸに対応する領域に電極ＥＩ１２が配置されている点で、図２４に図示した変形例と相違している。電極ＥＩ１２は、透明部材ＴＰの全面に亘って第３方向Ｘで対向し、電極ＥＤ１１と電極ＥＡ１３との間に配置されている。電極ＥＩ１２は、第２方向Ｙで、電極ＥＤ１１及びＥＡ１３と隣り合っている。  
本変形例においても、第１変形例と同様の効果を得ることができる。
【００９６】
図２７は、図２６に示した第１基板ＳＵＢ１の構成例を示す図である。  
本構成例は、電極ＥＩ１２、ＥＩ２１、ＥＩ３２、及びＥＩ２３が配置されている点で、図２５に図示した構成例と相違している。
【００９７】
第２方向Ｙにおいて画素ＰＸ１１と画素ＰＸ１３との間に位置する準画素ＱＸ１２の電極ＥＩ１２は、準画素ＱＸ１２に対応する領域の全体に配置され、電極ＥＣ１１と電極ＥＢ１３との間にも延在している。第１方向Ｘにおいて画素ＰＸ１１と画素ＰＸ２３との間に位置する準画素ＱＸ２１の電極ＥＩ２１は、準画素ＱＸ２１に対応する領域の全体に亘って配置され、電極ＥＢ１１と電極ＥＡ３１との間、及び電極ＥＣ１１及び電極ＥＤ３１との間に延在している。  
電極ＥＩ１２は、データ線Ｓ１によってデータ信号を供給され、走査線Ｇ４によって駆動を制御される。電極ＥＩ２１は、データ線Ｓ３によってデータ信号を供給され、走査線Ｇ２によって駆動を制御される。  
第２方向Ｙにおいて画素ＰＸ２３と画素ＰＸ３３との間に位置する準画素ＱＸ３２の電極ＥＩ３２も、準画素ＱＸ１２と同様に、電極ＥＩ３２を備えている。第１方向Ｘにおいて画素ＰＸ１３と画素ＰＸ３３との間に位置する準画素ＱＸ２３の電極ＥＩ２３も、準画素ＱＸ２１と同様に、電極ＥＩ２３を備えている。
【００９８】
図２８は、本実施形態に係る表示装置ＤＳＰの第３変形例を示す図である。  
図示した変形例は、複数のコラム電極Ｃ（Ｃ１、Ｃ２、…、Ｃｐ）と、複数のロウ電極Ｌ（Ｌ１、Ｌ２、…、Ｌｑ）と、を備えた、いわゆるパッシブマトリクス型の表示装置である。コラム電極Ｃは、第２方向Ｙに延在し第１方向Ｘに並んでいる。ロウ電極Ｌは、第１方向Ｘに延在し、第２方向Ｙに並んでいる。コラム電極Ｃは、第１ドライバＤｒ１に電気的に接続され、ロウ電極Ｌは、第２ドライバＤｒ２に電気的に接続されている。コラム電極Ｃとロウ電極Ｌとが互いに交差して対向する領域が、副画素として動作する。例えば、コラム電極Ｃ１とロウ電極Ｌ１とが対向する領域が、副画素ＰＡ１１に相当する。コラム電極Ｃ２とロウ電極Ｌ１とが対向する領域が、副画素ＰＢ１１に相当する。コラム電極Ｃ２とロウ電極Ｌ２とが対向する領域が、副画素ＰＣ１１に相当する。コラム電極Ｃ１とロウ電極Ｌ２とが対向する領域が、副画素ＰＤ１１に相当する。
【００９９】
この様な変形例においても、上記したのと同様の効果を得ることができる。
以上説明したように、本実施形態によれば、透明度が高く外光環境下でも視認性の良好な表示装置を提供することができる。
【０１００】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【０１０１】
ＤＳＰ…表示装置  ＰＮＬ…表示パネル  ＳＵＢ１…第１基板  ＳＵＢ２…第２基板  
ＯＭ…光変調層  ３１…バルク  ３２…微粒子  ＬＵ…光源ユニット  
２３…光源  ＦＡ，ＦＢ，ＦＣ，ＦＤ…カラーフィルタ  
ＥＡ，ＥＢ，ＥＣ，ＥＤ…電極  ＣＥ…共通電極  
ＰＡ，ＰＢ，ＰＣ，ＰＤ…複画素  ＰＸ…単位画素  
【図１】
2018013714.tif 000003
【図２】
2018013714.tif 000004
【図３】
2018013714.tif 000005
【図４】
2018013714.tif 000006
【図５】
2018013714.tif 000007
【図６】
2018013714.tif 000008
【図７】
2018013714.tif 000009
【図８】
2018013714.tif 000010
【図９】
2018013714.tif 000011
【図１０】
2018013714.tif 000012
【図１１】
2018013714.tif 000013
【図１２】
2018013714.tif 000014
【図１３】
2018013714.tif 000015
【図１４】
2018013714.tif 000016
【図１５】
2018013714.tif 000017
【図１６】
2018013714.tif 000018
【図１７】
2018013714.tif 000019
【図１８】
2018013714.tif 000020
【図１９】
2018013714.tif 000021
【図２０】
2018013714.tif 000022
【図２１】
2018013714.tif 000023
【図２２】
2018013714.tif 000024
【図２３】
2018013714.tif 000025
【図２４】
2018013714.tif 000026
【図２５】
2018013714.tif 000027
【図２６】
2018013714.tif 000028
【図２７】
2018013714.tif 000029
【図２８】
2018013714.tif 000030